(57)【要約】【課題】大量の雨水が流れた場合でも、表面に雨水が伝わらない、水切り機能を向上させた建築用外装役物を提供するものである。【解決手段】上端部に傾斜辺とそれに連なる垂直辺とを有し、さらに垂直辺の下端部に垂直辺の表面位置とほぼ同等の位置に頂点を持つ突出片が施されている建築用外装役物。  突出片は突出表面斜め辺と突出裏面斜め辺とその両辺に挟まれた突出平坦辺とからなり、前方斜め下に向かって幅が狭くなっている。  また、垂直辺と突出表面斜め辺との間には表面側凹部が形成され、突出裏面斜め辺と化粧表面との間には裏面側凹部が形成されている。  垂直辺を伝って雨水が下方表面に伝い流れようとするのを、突出片に当たることで雨水を前方斜め下にはじき飛ばすことができるので、大量の雨水が流れてきても下方への雨水の伝わりをなくすることが出来、雨水の伝いによる汚れも発生しない。【選択図】図１
2005060995.tif 000002
【特許請求の範囲】
【請求項１】
上端部に傾斜辺とそれに連なる垂直辺とを有し、さらに垂直辺の下端部に垂直辺の表面位置とほぼ同等の位置に頂点を持つ突出片が施されている建築用外装役物
【請求項２】
請求項１において、突出片は突出表面斜め辺と突出裏面斜め辺とその両辺に挟まれた突出平坦辺とからなり、前方斜め下に向かって幅が狭くなっており、上記垂直辺と突出表面斜め辺との間には表面側凹部が形成され、突出裏面斜め辺と化粧表面との間には裏面側凹部が形成されている建築用外装役物
【請求項３】
請求項１または請求項２において、建築用外装役物の化粧表面は上端部から下端部に向かって階段状に凹み形状になっている建築用外装役物
【発明の詳細な説明】
【技術分野】
【０００１】
本発明は、建物の外装材の上に化粧用の縁材として取り付ける建築用外装役物に関するものである。
【背景技術】
【０００２】
近年、建物の外壁には、窯業系外装材を用いて施工されることが多い。
そして、窓等の開口部には化粧や雨仕舞いのために窯業系外装材の上に建築用外装役物が架設して取り付けられる場合がある。
従来の建築用外装役物は断面略矩形状で水平方向に長い長尺物であり、建築用外装役物の施工した状態では建築用外装役物の表面に沿って流れる雨水がそのまま下方に伝い外装材の表面に沿って流れ、建築用外装役物や窯業系外装材の表面に雨水の流れた跡が付き、特にゴミなどと一緒に雨水が流れた時には流れた跡が汚くなり意匠性に問題があると同時に、耐侯性にも問題がある。
【０００３】
この改善策として、下記の特許文献のように、建築用外装役物の表面に突出部を設け、そこで水を切るようにしたり、さらに突出部の裏に凹部を設けたり、凹部に溝を設けたりして、この水切り機能を向上させている。
【特許文献１】実用新案登録第２５００８２５号公報
【特許文献２】実用新案登録第２５８５８５８号公報
【発明の開示】
【発明が解決しようとする課題】
【０００４】
しかしながら、大量の雨水が流れた場合には、突出部の裏面を伝って建築用外装役物の下方表面に雨水が伝わる可能性がある。
本発明は、さらに水切り機能を向上させた建築用外装役物を提供するものである。
【課題を解決するための手段】
【０００５】
上記の課題を解決するために本請求項１に記載の発明は、上端部に傾斜辺とそれに連なる垂直辺とを有し、さらに垂直辺の下端部に垂直辺の表面位置とほぼ同等の位置に頂点を持つ突出片が施されている建築用外装役物である。
上記の構成によれば、雨水を素早く切り、大量の雨水が流れてきても下方への雨水の伝わりをなくすることが出来る。
【０００６】
また、本請求項２に記載の発明は、突出片は突出表面斜め辺と突出裏面斜め辺とその両辺に挟まれた突出平坦辺とからなり、前方斜め下に向かって幅が狭くなっており、上記垂直辺と突出表面斜め辺との間には表面側凹部が形成され、突出裏面斜め辺と化粧表面との間には裏面側凹部が形成されている建築用外装役物である。
上記の構成によれば、垂直辺を伝って雨水が下方表面に伝い流れようとするのを、突出片に当たることで雨水を前方斜め下にはじき飛ばすことができるので、大量の雨水が流れてきても、下方への雨水の伝わりをなくすることが出来、雨水の伝いによる汚れも発生しない。
【０００７】
また、本請求項３に記載の発明は、建築用外装役物の化粧表面は上端部から下端部に向かって階段状に凹み形状になっている建築用外装役物である。
上記の構成によれば、雨水が例え上端部で伝っても、下端部は階段状に凹んでいるので雨水は伝わりにくい。
【発明の効果】
【０００８】
本発明の建築用外装役物は、垂直辺の下端部に垂直辺の表面位置とほぼ同等の位置に頂点を持つ突出片が施されているので、雨水を素早く切り、大量の雨水が流れてきても下方への雨水の伝わりをなくすることが出来る。
また、突出片は突出表面斜め辺と突出裏面斜め辺とその両辺に挟まれた突出平坦辺とからなり、前方斜め下に向かって幅が狭くなっており、上記垂直辺と突出表面斜め辺との間には表面側凹部が形成され、突出裏面斜め辺と化粧表面との間には裏面側凹部が形成されているので、垂直辺を伝って雨水が下方表面に伝い流れようとするのを、突出片に当たることで雨水を前方斜め下にはじき飛ばすことができるので、大量の雨水が流れてきても下方への雨水の伝わりをなくすることが出来、雨水の伝いによる汚れも発生しない。
また、建築用外装役物の化粧表面は上端部から下端部に向かって階段状に凹み形状になっているので、雨水が例え上端部で伝っても、下端部は階段状に凹んでいるので雨水は伝わりにくい。
【発明を実施するための最良の形態】
【０００９】
以下図面を用いて、本発明を実施するための最良の形態を説明する。
【実施例１】
【００１０】
図１は本発明の建築用外装役物の断面図、図２は斜視図である。
本発明の建築用外装役物１は例えば窯業系材料を押出成形して製造される。
建築用外装役物１の上端部には、前方斜め下に傾斜する傾斜辺２、傾斜辺２から下方に垂直に連なる垂直辺３、垂直辺３の下端部に突出片４が施されており、突出片４は突出表面斜め辺４１と突出裏面斜め辺４３とその両辺に挟まれた突出平坦辺４２とからなり、突出表面斜め辺４１の垂直辺３の表面位置Ｒに対する角度αは突出裏面斜め辺４３の垂直辺３の表面位置Ｒに対する角度βよりも鋭角であり、また、前方斜め下に向かって幅が狭くなっている。（図４参照）
そして垂直辺３と突出表面斜め辺４１との間には表面側凹部４４が、突出裏面斜め辺４３と化粧表面５との間には裏面側凹部４５が形成されている。
この突出片４の突出表面斜め辺４１と突出平坦辺４２との頂点部分は垂直辺３の表面位置Ｒとほぼ同じ位置にある。（図４参照）
突出片４の下方の化粧表面５には、階段状に順次後方へ凹む凹み形状が施されており、５１は第１階段状凹部、５２は第２階段状凹部、５３は第３階段状凹部、５４は第４階段状凹部である。
また、建築用外装役物１の裏面側には裏抜き部６が適宜施されている。
ここでいう前方とは建築用外装役物の表面側への方向を、後方とは建築用外装役物の裏面側への方向をいう。
【００１１】
そして、図３のように開口部まわりに建築用外装役物１を施工する。
１０１は窯業系外装材、１０２は縦胴縁、１０３は横胴縁、１０４はサッシ、１０５はバックアップ材、１０６はシ−リング材、１０７は釘である。
【００１２】
雨が降って雨水が窯業系外装材１０１の表面を伝ってきた場合、まず、建築用外装役物１の上端部の傾斜辺２に雨水が伝い、続いて垂直辺３に雨水が伝ってきて、そして、突出片４によって、雨水の水切りが行われる。
【００１３】
ここで、突出片４の水切り機構について、さらに詳しく説明する。
まず、雨水Ｗが少量流れた場合、垂直辺３を伝ってきた雨水Ｗはそのまま表面側凹部４４に沿って流れ、突出表面斜め辺４１に沿って進む。
このとき、突出表面斜め辺４１は前方斜め下に向かっており、その為、雨水Ｗは突出表面斜め辺４１に沿って前方斜め下に向かって落ちる。
ここで、突出表面斜め辺４１から後方に向かって水平な突出平坦辺４２が形成されているので、雨水Ｗが表面張力で裏面側凹部４５に回りこむのを防ぐ。
もし、突出平坦辺４２がないと、雨水Ｗが表面張力で裏面側凹部４５に回り込む危険性がある。（図５参照）
【００１４】
また、雨水が大量流れた場合、垂直辺３を伝ってきた雨水は表面側凹部４４に沿って流れるよりも、表面側凹部４４を飛び越して流れ、ここで一旦雨水が水切り状態となる。
そしてそのまま垂直に下へ落下するのであるが、その際、突出片４の突出表面斜め辺４１と突出平坦辺４２との頂点位置が垂直辺３の表面位置Ｒとほぼ同じ位置にあるので、雨水が表面張力で後方へ戻ろうとしても、突出表面斜め辺４１に当たるので前方斜め下にはじき飛ばされる。
このことで、下方への雨水の伝わりをなくすことが出来、雨水の伝いによる汚れも発生しない。
【００１５】
また、ここで突出表面斜め辺４１の垂直辺３の表面位置に対する角度αは、突出裏面斜め辺４３の表面位置に対する角度βよりも鋭角である。
具体的には、角度αは１５〜３０°が望ましく、角度βは５０〜６５°が望ましい。
角度αが１５°未満であると雨水が大量に流れたときの一端の水切りが不可能となり、３０°より大きくなると雨水が溜まりやすくなり、はじき飛ばすことが困難になる。
また、角度βが５０°未満だと突出片４の幅が狭くなって突出片４が欠けたりする可能性があり、６５°よりも大きくなると雨水の裏面側凹部４５への回り込みが起きる可能性が出てくる。
【実施例２】
【００１６】
図６は本発明の別の実施例で、建築用外装役物１０は化粧表面の階段状形状が途中から凸状になっている。
作用効果は実施例１と同様である。
【実施例３】
【００１７】
図７は本発明のさらに別の実施例で、建築用外装役物２０は裏抜き部がなく、下端部分が長い幕板形状のものである。
作用効果は実施例１と同様である。
【実施例４】
【００１８】
図８は本発明のさらに別の実施例で、建築用外装役物３０は化粧表面の階段状がないものである。
作用効果は実施例１と同様である。
【産業上の利用可能性】
【００１９】
本発明の建築用外装役物は、突出片にて雨水を前方斜め下にはじき飛ばすことが出来るので、開口部周りだけでなく、雨水の伝わりが気になる幕板部分や鼻隠し等にも使用することが出来る。
【図面の簡単な説明】
【００２０】
【図１】本発明の建築用外装役物の断面図（実施例１）
【図２】本発明の建築用外装役物の斜視図
【図３】本発明の建築用外装役物を用いた施工図
【図４】本発明の建築用外装役物の突出片付近の拡大で、突出表面斜め辺と突出裏面斜め辺との垂直辺に対する角度及び突出片の頂点位置を示す参考図
【図５】（Ａ）本発明の建築用外装役物の突出片付近の拡大で雨水の伝い状態を示す参考図、（Ｂ）突出平坦辺を有さない場合の参考図
【図６】本発明の別の建築用外装役物（実施例２）
【図７】本発明のさらに別の建築用外装役物（実施例３）
【図８】本発明のさらに別の建築用外装役物（実施例４）
【符号の説明】
【００２１】
１、１０、２０、３０  建築用外装役物
２      傾斜辺
３      垂直辺
４      突出片
４１    突出表面斜め辺
４２    突出平坦辺
４３    突出裏面斜め辺
４４    表面側凹部
４５    裏面側凹部
５      化粧表面
５１    第１階段状凹部
５２    第２階段状凹部
５３    第３階段状凹部
５４    第４階段状凹部
６      裏抜き部
１０１  窯業系外装材
１０２  縦胴縁
１０３  横胴縁
１０４  サッシ
１０５  バックアップ材
１０６  シ−リング材
１０７  釘
【図１】
2005060995.tif 000003
【図２】
2005060995.tif 000004
【図３】
2005060995.tif 000005
【図４】
2005060995.tif 000006
【図５】
2005060995.tif 000007
【図６】
2005060995.tif 000008
【図７】
2005060995.tif 000009
【図８】
2005060995.tif 000010